(57)【特許請求の範囲】
【請求項１】
デスクを構成する各デスク部品のうち、互いに締結する一方のデスク部品の取付面に幅広部と幅狭部とが連続された異形長孔を穿設し、他方のデスク部品の取付面に前記異形長孔と同形の異形長孔を反対向きに穿設して、一方のデスク部品と他方のデスク部品とを前記各異形長孔に挿入された同一のジョイナーを介して相互に固定するようにしたデスクであって、前記ジョイナーは、ジョイナー本体部分と、ジョイナー本体部分の側部から直角方向に延設され端部に係止部を有する弾性のある第１係止片と、この第１係止片とは対隅関係になるように反対方向に延設された端部に係止部を有する弾性のある第２係止片とで構成され、前記ジョイナー本体部分には第１係止片の反対側に第１位置決め部と、前記第１係止片の基端位置のジョイナー本体部分両側に前記異形長孔の幅狭部と係合するくびれ部、および第２係止片の反対側に第２位置決め部と、前記第２係止片の基端位置のジョイナー本体部分両側に前記異形長孔の幅狭部と係合するくびれ部をそれぞれ設けてなり、前記一方のデスク部品は、異形長孔の幅広部に挿入されたジョイナーのくびれ部を幅狭部にスライドさせたとき前記第１位置決め部と前記第１係止片の係止部とでジョイナーと固定され、他方のデスク部品は異形長孔の幅広部に挿入されたジョイナーのくびれ部を幅狭部にスライドさせたとき前記第２位置決め部と前記第２係止片の係止部とでジョイナーと固定されるようにしたことを特徴とする簡易組立て式デスク。
【請求項２】
デスクを構成する各デスク部品のうち、互いに締結する一方のデスク部品の取付面に幅方向および長手方向をそれぞれ一定間隔に保持し、中央部に係止孔を有する４個のほぼ角形の突片を整列するように立設し、該取付面の各突片間の中心となる位置に位置決め孔を設け、他方のデスク部品の取付面に前記突片を通過させる切孔と前記位置決め孔と整合する位置決め孔を穿設し、一方のデスク部品に他方のデスク部品を重ね合わせたとき、突出した前記突片に、その外側からジョイナーを挿入して両デスク部品を締結させるようにしたデスクであって、該ジョイナーは、中央部に前記両位置決め孔を貫通し得る軸と、中央部から両端にかけてそれぞれ二股状に分岐した弾性を有する張出し片とを備え、その端部外面に前記係止孔に係合する張出し軸を備えてなり、前記ジョイナーを左右および前後の突片間および位置決め孔に、張り出し軸および軸を挿入したとき前記係止孔に張出し軸が係合して両デスク部品が固定されるようにしたことを特徴とする簡易組立て式デスク。
【請求項３】
前記一方のデスク部品が脚、他方のデスク部品が天板固定枠である請求項１または２記載の簡易組立て式デスク。
【請求項４】
前記一方のデスク部品が脚、他方のデスク部品が幕板である請求項１または２記載の簡易組立て式デスク。
【発明の詳細な説明】
【０００１】
【発明の属する技術分野】
本発明は組立式デスクに係り、特に組立に際し工具等を一切使用することなく組立が行えるようにした簡易組立て式デスクに関する。
【０００２】
【従来の技術】
一般に事務用デスクは、左右の脚部と、その左右の脚部前方面間を適宜間隔に連結する幕板と、左右の脚部の上に連結される天板固定枠と、その上部に載置される天板等の部品からなっていて、これら各部品をビスにより締結することにより１台のデスクとして組立てられるようになっている。
【０００３】
さらに詳しく説明すると、幕板と脚部の組立にはビス４個で締結を行い、天板固定枠と脚部の組立もビス４個で締結で行い、天板固定枠と天板の締結には角孔と爪を利用してビスを使用しないで組立てている。
【０００４】
【発明が解決しようとする課題】
しかしながら上述したようにビスにより締結するものでは、当然のことながらドライバー等の工具を必要とし、締結に際しては締め付けに時間がかかり、また解体についても同様であり、しかもビスは小さいために操作がやりにくいうえに途中で紛失する恐れがあるなどの種々の問題があった。
【０００５】
【課題を解決するための手段】
本発明は、ドライバー等の工具を一切使用することなく、しかも簡単で確実に組立や解体が行えるようにした簡易組立て式デスクの提供を課題とするもので、その手段としてはビスの代わりに樹脂製のジョイナーを用い、連結される部品に設けた穴に差し込んで締結するようにしたことにある。
【０００６】
すなわち、請求項１に記載の発明は、デスクを構成する各デスク部品のうち、互いに締結する一方のデスク部品の取付面に幅広部と幅狭部とが連続された異形長孔を穿設し、他方のデスク部品の取付面に前記異形長孔と同形の異形長孔を反対向きに穿設して、一方のデスク部品と他方のデスク部品とを前記各異形長孔に挿入された同一のジョイナーを介して相互に固定するようにしたデスクであって、前記ジョイナーは、ジョイナー本体部分と、ジョイナー本体部分の側部から直角方向に延設され端部に係止部を有する弾性のある第１係止片と、この第１係止片とは対隅関係になるように反対方向に延設された端部に係止部を有する弾性のある第２係止片とで構成され、前記ジョイナー本体部分には第１係止片の反対側に第１位置決め部と、前記第１係止片の基端位置のジョイナー本体部分両側に前記異形長孔の幅狭部と係合するくびれ部、および第２係止片の反対側に第２位置決め部と、前記第２係止片の基端位置のジョイナー本体部分両側に前記異形長孔の幅狭部と係合するくびれ部をそれぞれ設けてなり、前記一方のデスク部品は、異形長孔の幅広部に挿入されたジョイナーのくびれ部を幅狭部にスライドさせたとき前記第１位置決め部と前記第１係止片の係止部とでジョイナーと固定され、他方のデスク部品は異形長孔の幅広部に挿入されたジョイナーのくびれ部を幅狭部にスライドさせたとき前記第２位置決め部と前記第２係止片の係止部とでジョイナーと固定されるようにしたことを特徴とする。
【０００７】
また請求項２に記載の発明は、デスクを構成する各デスク部品のうち、互いに締結する一方のデスク部品の取付面に幅方向および長手方向をそれぞれ一定間隔に保持し、中央部に係止孔を有する４個のほぼ角形の突片を整列するように立設し、該取付面の各突片間の中心となる位置に位置決め孔を設け、他方のデスク部品の取付面に前記突片を通過させる切孔と前記位置決め孔と整合する位置決め孔を穿設し、一方のデスク部品に他方のデスク部品を重ね合わせたとき、突出した前記突片に、その外側からジョイナーを挿入して両デスク部品を締結させるようにしたデスクであって、該ジョイナーは、中央部に前記両位置決め孔を貫通し得る軸と、中央部から両端にかけてそれぞれ二股状に分岐した弾性を有する張出し片とを備え、その端部外面に前記係止孔に係合する張出し軸を備えてなり、前記ジョイナーを左右および前後の突片間および位置決め孔に、張り出し軸および軸を挿入したとき前記係止孔に張出し軸が係合して両デスク部品が固定されるようにしたことを特徴とする。
【０００８】
さらに請求項３は請求項１または２に記載の発明において前記一方のデスク部品が脚、他方のデスク部品が天板固定枠であることを特徴とし、請求項４は請求項１または２に記載の発明において前記一方のデスク部品が脚、他方のデスク部品が幕板であることを特徴とする。
【０００９】
【発明の実施の形態】
以下、本発明にかかる簡易組立て式デスクを図面に示す実施の形態を参照して説明する。
【００１０】
第１の実施の形態は、図１および図２に示すように互いに締結される一方のデスク部品である脚１とこれに対応する他のデスク部品である天板固定枠２、および脚１とこれに対応する他のデスク部品である幕板３とに設けた異形長孔５および５′にそれぞれ４個（片側２個）のジョイナー４，４，…を使用して締結するようにしたもので、図１は脚１に幕板を締結する前の状態、図２は脚１に天板固定枠２を取付ける直前の状態で幕板３は取付後の状態である。
【００１１】
この場合、図１および図２は理解しやすいように片側半分（左側）の脚１の左端側を天板固定枠２の左端側に取付ける場合と、脚１の左端側に幕板３を取付ける場合とを斜視図で示し、対称となる右側は省略してある。
【００１２】
締結の詳細は図３（Ａ），（Ｂ）に示すように脚１の上面である取付面１ａには幅広部５ａと幅狭部５ｂとが連続された異形長孔５が長手方向に一端の孔縁５ｄから他端の孔縁５ｃに至るように穿設されている。
【００１３】
この異形長孔５に挿入されるジョイナー４は、合成樹脂（または金属）により製作され、図４に斜視図を示すように中央部分の周囲が前記異形長孔５の幅広部５ａにほぼ嵌合される程度の大きさを有するジョイナー本体部分４ａと、ジョイナー本体部分４ａの側部から直角方向に延設され端部に突状の係止部４ｄを有する弾性のある第１係止片４ｂと、この第１係止片４ｂとは対隅関係になるようにジョイナー本体部分４ａに対しある距離を保って反対方向に延設された第２係止片４ｃとで構成されている。ここで前記異形長孔５の幅狭部５ｂの幅はジョイナー本体部分４ａが挿入できない程度に幅広部５ａよりも狭く形成されている。
【００１４】
前記ジョイナー本体部分４ａには第１係止片４ｂの反対側に突出した第１位置決め部４ｅ（図４には図示されていない）と、前記第１係止片４ｂの基端位置のジョイナー本体部分４ａの両側に前記異形長孔５の幅狭部５ｂの内側縁と係合するくびれ部４ｆ、および第２係止片４ｃの反対側に突出した第２位置決め部４ｇと、前記第２係止片４ｃの基端位置のジョイナー本体部分４ａの両側に前記異形長孔５の幅狭部５ｂの内側縁と係合するくびれ部４ｈとがそれぞれ設けられている。
【００１５】
この場合、第１位置決め部４ｅおよび第２位置決め部４ｇは特に突出させずジョイナー本体部分４ａの側面によってもよい。
【００１６】
なお、ジョイナー本体部分４ａは、第１係止片４ｂおよび第２係止片４ｃの基部の反対側がそれぞれ両位置決め部４ｅおよび４ｇよりも外側に突出して位置決め部４ｅおよび４ｇとは段部４ｉ，４ｉになるように形成されていて、この段部４ｉ，４ｉによりジョイナー本体部分４ａが異形長孔５に挿入されても孔内に落ち込むことがないようになされている。
【００１７】
つぎにこのジョイナー４を脚１の取付面１ａの異形長孔５に取付けるには、図５（Ａ）に示すようにジョイナー本体部分４ａをまず幅広部５ａに差し込むと、第１係止片４ｂには挿入される孔がないために基端位置から弾性により図のように変形して係止部４ｄが取付面１ａ上に傾斜した状態に接触する。
【００１８】
つぎにくびれ部４ｆを幅狭部５ｂの孔縁に沿わせるように幅狭部５ｂ側の奥側にスライドさせ、第１位置決め部４ｅを異形長孔５の幅狭部５ｂの端部の孔縁５ｃに接触させると、第１係止片４ｂはこれに追従して幅広部５ａ側に引っ張られて係止部４ｄが端部の孔縁５ｄと接触して係止され、したがってジョイナー４はジョイナー本体部分４ａと第１係止片４ｂとでその位置に抜け止めされて図５（Ｂ）に示すような状態となる。
【００１９】
他方のデスク部品である天板固定枠２の取付面２ａには図６の上部に示すように前記異形長孔５と同形の異形長孔５′が異形長孔５と反対向きに穿設されている。したがって図６において上方に位置する天板固定枠２の取付面２ａの異形長孔５′の幅広部５ａを、脚１の取付面１ａから突出したジョイナー４に向け下降させて差し込むと、第２係止片４ｃは挿入される孔がないために弾性により基端位置から変形して係止部４ｄが取付面２ａに傾斜した状態に接触する。
【００２０】
つぎにくびれ部４ｈを幅狭部５ｂの孔縁に沿わせるために矢印のように幅狭部５ｂ側の奥側にスライドさせ、第２位置決め部４ｇを異形長孔５′の幅狭部５ｂの端部の孔縁５ｃに接触させると、第２係止片４ｃはこれに追従して引っ張られて弾性により係止部４ｄが幅広部５ａの端部の孔縁５ｄと接触して係止され、したがってジョイナー４はジョイナー本体部分４ａと第１係止片４ｂとでその位置に抜け止めされ、図７に示すような状態に取付けられる。
【００２１】
これにより脚１と天板固定枠２とはジョイナー４を介して取付面１ａと取付面２ａとで締結される。
【００２２】
図中、６は天板で、この天板６を下降させると図８のように天板６が天板固定枠２に係合して脚１の取付面１ａに載置されるので、脚１に天板６が組立てられたことになる。
【００２３】
以上は組立ての場合であるが、分解する場合はジョイナー４を脚１または天板固定枠２から取外すことにより行える。
【００２４】
すなわちジョイナー４を天板固定枠２から取外す場合は、図７のように天板６を取り去った状態において、第２係止片４ｃの係止部４ｄを押し下げ、天板固定枠２の取付面２ａの異形長孔５′の幅狭部５ｂに係合されているジョイナー本体部分４ａを幅広部５ａに来るようにスライドさせることにより天板固定枠２はジョイナー４から取り除くことができる。
【００２５】
また脚１からジョイナー４を取外す場合は、図５（ｂ）において第１帯板４ｂの先端を摘んで持ち上げ、係止部４ｄを孔縁５ｄから外しのち、図５（ａ）のようにジョイナー本体部分４ａを幅狭部５ｂから幅広部５ａにスライドさせることによりジョイナー４を容易に取外すことができる。
【００２６】
なお図３乃至図８は脚１に天板固定枠２を締結する場合であるが、脚１に幕板３を締結する場合も全く同様に脚１側の取付面１ｂに異形長孔５、幕板３側の取付面３ａに異形長孔５′を設け、同一のジョイナー４を取付けることにより取付面１ｂと取付面３ａとで締結されるので図１から図２に移行する順序と同様にして締結が行える。
【００２７】
第２の実施形態は、図９乃至図１１に示すように互いに締結される一方のデスク部品である脚１とこれに対応する他のデスク部品である天板固定枠２、および脚１とこれに対応する他のデスク部品である幕板３とをそれぞれ４個（片側２個）のジョイナー７，７，…を使用して締結するようにしたもので、図９は脚１に幕板３を締結する前の状態、図１０は脚１に天板固定枠２を重ねる前の状態と脚１に幕板３を重ねた後の状態、図１１は脚１に重ねられた天板固定枠２にジョイナー７を取付ける寸前の状態と、脚１に重ねられた幕板３にジョイナー７が取付けられた状態である。図１１中、６は天板である。
【００２８】
この場合、図９乃至図１１は理解しやすいように片側半分（左側）の脚１の左端側を天板固定枠２の左端側に取付ける場合と、脚１の左端側に幕板３を取付ける場合とを斜視図で示し、対称となる右側は省略してあることは図１および図２の場合と同様である。
【００２９】
締結の詳細は、図１２（Ａ），（Ｂ）に示すようにデスクを構成する各デスク部品のうち、互いに締結する一方のデスク部品である脚１の取付面１ａには幅方向および長手方向をそれぞれ一定間隔に保持しかつ中央部に掛止孔８ａを有する４個のほぼ角形の突片８，８，…を整列するように溶接等により立設して、このうち対面する突片８，８の頂部はジョイナー７を突片８，８間に挿入し易くするために外側に傾斜した形状に形成されている。
【００３０】
そしてその取付面１ａの各突片８，８，…から等距離にある中心位置には位置決め孔９が設けられている。また他方のデスク部品となる天板固定枠２の取付面２ａには前記突片８を同時に通過させる大きさの４個の細長い切孔１０と前記位置決め孔９と同径の位置決め孔１１が穿設されている。
【００３１】
ここで脚１の取付面１ａに天板固定枠２の取付面２ａを重ね合わせたとき、切孔１０を通して突出した前記突片８に、その外側からジョイナー７を挿入して脚１と天板固定枠２を締結させるようにすることができる。
【００３２】
この場合、ジョイナー７も合成樹脂（または金属）により製作され、図１３に示すように中央部７ａに前記位置決め孔９，１１を貫通する軸７ｂと、中央部７ａから両端にかけてそれぞれ二股状に分岐した弾性を有する張出し片７ｃ，７ｃ，…とを備え、その端部外側に前記掛止孔８ａに係合する張出し軸７ｄを設けたもので構成されている。
【００３３】
これにより図１４に示すようにジョイナー７の向い合う張出し片７ｃ，７ｃを指で摘んでその間隔を狭めて左右および前後の突片８間および位置決め孔１１に、張り出し軸７ｄおよび軸部７ｂをそれぞれ矢印方向に挿入すると、図１５に示すように中央部７ａの軸７ｂは前記位置決め孔１１および９を通して取付けることにより脚１と天板固定枠２の位置が固定されてずれがなくなり、同時に挿入された張出し軸７ｄは指の力を解除することにより突片８の掛止孔８ａに係合して脚１と天板固定枠２とが固定される。この状態では天板６はまだ取付けられていないが、この天板６を矢印方向に下降させると図１６のように天板６が天板固定枠２に係合して脚１の取付面１ａに載置されるので、脚１に天板６が組立てられることになる。
【００３４】
以上は組立ての場合であるが、分解する場合はジョイナー７を脚１に重ねた天板固定枠２から取外すことにより行える。
【００３５】
すなわちジョイナー７を天板固定枠２および脚１から取外す場合は、図１５のように天板６を取り去った状態において、向い合う張出し片７ｃ，７ｃを摘んでその間隔を狭めることにより、張出し軸７ｄが突片８の掛止孔８ａとの係合が外れるので、外側にジョイナー７を引き抜くことで容易に取り外しができる。
【００３６】
そして脚１の突片８に差し込まれた天板固定枠２を切孔１０から外すことにより天板固定枠２を脚１から分離することができる。
【００３７】
なお図１２乃至図１６は脚１に天板固定枠２を締結する場合であるが、脚１に幕板３を締結する場合も全く同様に脚１側取付面１ｂに突片８と位置決め孔９を設け、幕板３側取付面３ａに切孔１０および位置決め孔１１を設け、同一のジョイナー７を取付けることにより行えるので図９から図１１に移行する順序と同様にして締結が容易に行える。
【００３８】
また本発明は基本的にはデスクの組立に使用することを目的としているが、デスク以外のオフィス家具、パネル、アクセサリーなどにおける薄板同士の締結に応用しても同一効果を奏することができる。
【００３９】
【発明の効果】
本発明は以上説明したように構成したから、つぎのような効果を奏する。
１）デスク部品の組立がジョイナーの取付けのみにより行えるので、従来のようにビスによるネジ込み作業がなくなり、組立に要する手数および時間が大幅に短縮できる。
２）組立の際にドライバー等の工具を一切使用しないので、工具の管理が不要となる。
３）ビスを使用しないので従来のようにデスクの使用中にビスが緩んで脱落するような不具合は発生しない。
４）締結に際しジョイナーは何れも相手のデスク部品との間にガタつきなく嵌め合わせが行え、しかも大きな強度を得ることができる。
【図面の簡単な説明】
【図１】本発明の第１の実施形態の脚と天板固定枠および幕板との締結において、脚の取付面の異形長孔に挿入されるジョイナーの挿入前の状態を示す左半分の斜視図。
【図２】図１の脚に天板固定枠が締結される前の状態と、脚と幕板とは締結された状態を示す斜視図。
【図３】図１の脚の取付面に穿設された異形長孔の拡大図を示し、（Ａ）は平面図、（Ｂ）は（Ａ）の側面図。
【図４】図１および図２に示すジョイナーの拡大斜視図。
【図５】図３の異形長孔に図４のジョイナーが挿入される状態を示し、（Ａ）は固定前、（Ｂ）は固定後の断面図。
【図６】図５（Ｂ）に天板固定枠を取付ける直前の状態を示す断面図。
【図７】図６の天板固定枠の取付けが完了して天板を取付ける直前の状態を示す断面図。
【図８】図７に天板が取付いて脚と天板との締結が完了した状態を示す断面図。
【図９】本発明の第２の実施形態の脚と天板固定枠および幕板との締結関係を示す斜視図。
【図１０】図９の脚の上面に天板固定枠が載置される状態と脚の側面に幕板が締結された状態を示す斜視図。
【図１１】図１０の脚に天板固定枠が締結され、その上に天板を締結する直前の状態を示す斜視図。
【図１２】図９の脚の取付面に天板固定枠の取付面を重ねる直前の状態を示し、（Ａ）は平面図、（Ｂ）は側面図。
【図１３】図９乃至図１１に示すジョイナーの拡大詳細を示す斜視図。
【図１４】図１２に図１３のジョイナーを下降させて取付ける状態を示す側面図。
【図１５】図１４において脚と天板固定枠との締結が完了して天板を下降させる寸前の状態を示す側面図。
【図１６】図１５における天板の締結が完了した状態を示す側面図。
【符号の説明】
１  脚
１ａ  取付面
２  天板固定枠
２ｂ  取付面
３  幕板
３ａ  取付面
４  ジョイナー
４ａ  ジョイナー本体部分
４ｂ  第１係止片
４ｃ  第２係止片
４ｄ  係止部
４ｅ  第１位置決め部
４ｆ  くびれ部
４ｇ  第２位置決め部
４ｈ  くびれ部
５，５′  異形長孔
５ａ  幅広部
５ｂ  幅狭部
７  ジョイナー
７ａ  中央部
７ｂ  軸
７ｃ  張出し片
７ｄ  張出し軸
８  突片
８ａ  掛止孔
９  位置決め孔
１０  切孔
１１  位置決め孔
【図１】
0003795174.tif 000002
【図２】
0003795174.tif 000003
【図３】
0003795174.tif 000004
【図４】
0003795174.tif 000005
【図５】
0003795174.tif 000006
【図６】
0003795174.tif 000007
【図７】
0003795174.tif 000008
【図８】
0003795174.tif 000009
【図９】
0003795174.tif 000010
【図１０】
0003795174.tif 000011
【図１１】
0003795174.tif 000012
【図１２】
0003795174.tif 000013
【図１３】
0003795174.tif 000014
【図１４】
0003795174.tif 000015
【図１５】
0003795174.tif 000016
【図１６】
0003795174.tif 000017